【手続補正書】
【提出日】平成20年6月4日(2008.6.4)
【手続補正１】
【補正対象書類名】特許請求の範囲
【補正対象項目名】全文
【補正方法】変更
【補正の内容】
【特許請求の範囲】
【請求項１】
切断されたウェットファイバーグラスの撚り線のバンドルを均一なセグメントに凝集する振動装置であって、
略水平に延びる長手軸の周りに配置される湾曲内側表面を備えるとともに、切断されたバンドル用入口端部と当該入口端部の反対側の軸方向に離隔された均一なセグメント用出口端部とを備え、かつ対応する基礎面上に弾性的に支持されるように複数のスプリング上に搭載されたコンテナと、
前記切断されたウェットファイバーグラスの撚り線のバンドルが、前記略水平に延びる長手軸の方向に前記コンテナの前記入口端部から前記出口端部まで移動されている間に、前記湾曲内側表面に沿って回転運動の上昇パスおよび下降パスに導かれるようにさせる振動力を生成するための振動発生装置とを備えており、
前記切断されたウェットファイバーグラスの撚り線のバンドルが回転運動される前記湾曲内側表面内に、ディンプルライナーが設けられてなる振動装置。
【請求項２】
前記コンテナが円筒状ドラムの形態を有してなる、請求項１記載の振動装置。
【請求項３】
前記円筒ドラム内で前記ディンプルライナーによって定義される前記湾曲内側表面が、隣り合う列で互い違いに配置されるような、前記円筒ドラムに関して内側に突き出す略細長の複数のディンプルを備える、請求項２記載の振動装置。
【請求項４】
前記ディンプルライナーによって定義される湾曲内側表面の略細長のディンプルは、略楕円形状をなしており、前記コンテナの略水平に延びる長手軸の方向に延ばされてなる、請求項３記載の振動装置。
【請求項５】
前記振動発生装置によって生成された前記振動力が、略水平に延びる長手軸から変位されるとともに前記コンテナの重心から変位された直線パスに沿って導かれるようになしてある、請求項１乃至４のうちのいずれか一つに記載の振動装置。
【請求項６】
前記複数のスプリングが、前記コンテナを、前記振動発生装置によって生成された前記振動力に応答して拘束されることなく振動運動するよう前記基礎面上に弾性的に支持するように搭載してなる、請求項１乃至５のうちのいずれか一つに記載の振動装置。
【請求項７】
切断されたウェットファイバーグラスの撚り線のバンドルを凝集する方法であって、 
略水平方向に延びている長手方向の軸を中心とする内側湾曲面を有しているコンテナを提供することと、
基礎面上に前記コンテナを弾性的に支持するための複数のスプリングに前記コンテナを取り付けることと、
切断されたウェットファイバーグラスの撚り線の複数のバンドルを、前記コンテナの入口端部で前記湾曲内側表面上に凝集されるように置くことと、
前記切断されたウェットファイバーグラスの撚り線のバンドルを前記コンテナの入口端部から出口端部まで移動させる振動力を生成することと、
前記振動力によって前記切断されたウェットファイバーグラスの撚り線のバンドルが回転運動の上昇パスおよび下降パスに導かれるようにすることとを含んでおり、
前記切断されたバンドルの前記回転運動が、前記ウェットファイバーグラスの撚り線の凝集を引き起こすことによって均一なセグメントを生成する、方法。
【請求項８】
前記コンテナが円筒ドラム形状をなしており、ディンプルライナーが前記湾曲内側表面を定義すべく前記円筒ドラム内に設けられており、当該湾曲内側表面上において前記切断されたウェットファイバーグラスの撚り線のバンドルを回転運動させるようになしてある、請求項７記載の方法。
【請求項９】
前記円筒ドラム内で前記ディンプルライナーによって定義される前記湾曲内側表面が、隣り合う列で互い違いに配置されるような、前記円筒ドラムに関して内側に突き出す略細長の複数のディンプルを有する、請求項８記載の方法。
【請求項１０】
前記ディンプルライナーによって定義される湾曲内側表面の略細長のディンプルが、略楕円形状を有し、前記コンテナの略水平に延びる長手軸の方向に延ばされている、請求項９記載の方法。
【請求項１１】
前記振動発生装置によって生成された前記振動力が、略水平に延びる長手軸から変位されるとともに前記コンテナの重心から変位された直線パスに沿って導かれる、請求項７乃至１０のうちのいずれか一つに記載の方法。
【請求項１２】
前記複数のスプリングが、前記振動発生装置によって生成された前記振動力に対応する拘束されない振動運動に対して前記基礎面上に弾性的に支持されるように、前記コンテナが搭載される、請求項７乃至１１のうちのいずれか一つに記載の方法。 
【請求項１３】
振動装置において切断されたウェットファイバーグラスの撚り線のバンドルを凝集する方法であって、
前記振動装置が、略水平方向に延びている長手方向の軸を中心とする内側湾曲面を有しているコンテナを提供することと、
前記コンテナを基礎面上に弾性的に支持するための複数のスプリングに前記コンテナを取り付けることと、
切断されたウェットファイバーグラスの撚り線の複数のバンドルを、前記コンテナの入口端部で前記湾曲内側表面上に凝集されるように置くことと、
前記切断されたウェットファイバーグラスの撚り線のバンドルを前記コンテナの入口端部から出口端部まで移動させる振動力を生成することと、
前記振動力によって前記切断されたウェットファイバーグラスの撚り線のバンドルが回転運動の上昇パスおよび下降パスに導かれるようにすることとを含んでおり、
前記湾曲内側表面が、当該湾曲内側表面の最下点および前記略水平方向に延びている長手方向の軸を通る垂直方向のセンターラインの一方側に少なくとも約９０度なしており、
前記切断されたバンドルの前記回転運動が、前記ウェットファイバーグラスの撚り線の凝集を引き起こすことによって均一なセグメントを生成する、方法。
【請求項１４】
前記コンテナが円筒ドラム形状をなしており、ディンプルライナーが前記湾曲内側表面を定義すべく前記円筒ドラム内に設けられており、当該湾曲内側表面上において前記切断されたウェットファイバーグラスの撚り線のバンドルが回転運動される、請求項１３記載の方法。
【請求項１５】
前記円筒ドラム内で前記ディンプルライナーによって定義される前記湾曲内側表面が、隣り合う列で互い違いに配置されるような、前記円筒ドラムに関して内側に突き出す略細長の複数のディンプルを有する、請求項１４記載の方法。
【請求項１６】
前記ディンプルライナーによって定義される湾曲内側表面の略細長のディンプルが、略楕円形状をなしており、前記コンテナの略水平に延びる長手軸の方向に延ばされる、請求項１５記載の方法。
【請求項１７】
前記振動発生装置によって生成された前記振動力が、略水平に延びる長手軸から変位されるとともに前記コンテナの重心から変位された直線パスに沿って導かれる、請求項１３乃至１６のうちの一つに記載の方法。
【請求項１８】
前記コンテナを搭載する前記複数のスプリングが、生成された前記振動力に応答して拘束されることなく振動運動するように、前記コンテナを前記基礎面上に弾性的に支持する、請求項１３乃至１７のうちのいずれか一つに記載の方法。
【請求項１９】
前記切断されたウェットファイバーグラスの撚り線のバンドルが、前記切断されたファイバーグラスの撚り線のバンドルの乾燥重量に基づいて約７％から１９％の含水率を有している、請求項１３乃至１８のうちのいずれか一つに記載の方法。
【請求項２０】
前記ウェットファイバーグラスの撚り線を凝集体を乾燥して、切断されたファイバーグラスの撚り線のバンドルの凝集体を生成することにより、プラスチック材料を強化し、前記撚り線が約０．３１７８ｃｍ（１／８インチ）から約１．２７ｃｍ（１／２インチ）の範囲に及ぶ長さに切断される、請求項１３乃至１９のうちのいずれか一つに記載の方法。
【請求項２１】
振動する前記湾曲内側表面の振動が、前記複数のスプリングの第一のグループによって前記コンテナから分離されている一または複数のバイブレータによって供給され、一または複数のバイブレータが前記複数のスプリングの第二のグループによって前記基礎から分離されている、請求項１３記載の方法。
【請求項２２】
請求項１３記載の方法により生成される切断されたファイバーグラスの撚り線のバンドルの凝集体。